(57)【要約】【課題】  撮像装置内の回路基板を最適に配置してシールドすることにより、デジタル信号系回路や電源回路等からのノイズに強く、撮影画像の質を良好に保つことができる電子カメラ等の撮像装置を安価なコストで提供する。【解決手段】  被写体像を電気信号に変換する撮像素子と、撮像素子より出力される画像データを記録媒体に記録する記録手段とを有する撮像装置であって、撮像素子を保持する保持部材と、保持部材に支持された第１シールド部材と、撮像素子から出力される電気信号を処理する撮像回路を搭載したプリント回路基板と、プリント回路基板上の撮像回路ブロックの少なくとも一部を覆う第２シールド部材と、撮像素子とプリント回路基板とを接続するフレキシブル配線基板とを備え、第１シールド部材でフレキシブル配線基板を覆うと共に、第１シールド部材と第２シールド部材を導電的に接続した。【選択図】      図５
2005065014.tif 000002
【特許請求の範囲】
【請求項１】
被写体像を電気信号に変換する撮像素子と、該撮像素子より出力される画像データを記録媒体に記録する記録手段とを有する撮像装置であって、
前記撮像素子を保持する保持部材と、前記保持部材に支持された第１シールド部材と、前記撮像素子から出力される電気信号を処理する撮像回路を搭載したプリント回路基板と、前記プリント回路基板上の撮像回路ブロックの少なくとも一部を覆う第２シールド部材と、前記撮像素子と前記プリント回路基板とを接続するフレキシブル配線基板とを備え、前記第１シールド部材で前記フレキシブル配線基板を覆うと共に、前記第１シールド部材と前記第２シールド部材を導電的に接続したことを特徴とする撮像装置。
【請求項２】
前記第１シールド部材と前記第２シールド部材は、半田付けされて互いが固定されることを特徴とする請求項１に記載の撮像装置。
【請求項３】
前記第１シールド部材と前記第２シールド部材は、どちらか一方にバネ形状を有し、他方に対して弾性的に圧接して保持されることを特徴とする請求項１に記載の撮像装置。
【請求項４】
前記撮像素子から出力される電気信号を処理する撮像回路を搭載したプリント回路基板は、前記撮像素子の後方において撮像面と略平行に配置され、前記フレキシブル配線基板はＵターン形状を有し、前記フレキシブル配線基板を覆う前記第１シールド部材は、前記フレキシブル配線基板と同等の幅で後方へ曲げた形状から成ることを特徴とする請求項１〜３のいずれかに記載の撮像装置。
【請求項５】
前記第１シールド部材と前記第２シールド部材の接続箇所は、前記フレキシブル配線基板の幅の外側であることを特徴とする請求項１〜４のいずれかに記載の撮像装置。
【請求項６】
前記第１シールド部材は、前記撮像素子の撮像面と略平行となる面を有する部分と前記フレキシブル配線基板を覆うように後方へ延伸した部分から成り、前記撮像素子の撮像面と略平行となる面には、撮像素子に入射する光束を決定する開口を有することを特徴とする請求項１〜５のいずれかに記載の撮像装置。
【請求項７】
前記撮像素子の位置と傾きを調整するように、前記撮像素子を保持する保持部材を撮像装置筐体側に取り付ける手段を有することを特徴とする請求項１〜６のいずれかに記載の撮像装置。
【発明の詳細な説明】
【技術分野】
【０００１】
本発明は、被写体像を電気信号に変換する撮像素子と、該撮像素子より出力される画像データを記録媒体に記録する記録手段を備えたデジタルカメラ等の撮像装置に係り、特に撮像素子と撮像信号処理回路基板を含む電気回路基板の配置と各々のシールド部材の配置と接続構造に関するものである。
【背景技術】
【０００２】
撮影レンズから入射された被写体像をＣＣＤ等の固体撮像素子により光電変換し、この光電変換された画像信号をＡ／Ｄ変換して記録媒体に記録し、更に内蔵の液晶モニタで画像の表示が可能なデジタルカメラが一般的に知られている。内視鏡に応用した例として下記特許文献１が知られている。
【０００３】
特にレンズ鏡筒が交換可能なデジタル一眼レフカメラでは、銀塩フィルムカメラと同様に良好な操作性及び高速連写性能を有しつつ、撮影できる画像が高画質であること、撮影できる被写体輝度範囲が広いことなどが要求される。このため、画素数が多く且つ感度の高い撮像素子の採用が必要となっている。従って撮像面積の大きな撮像素子が使用され、必然的に撮像素子が接続される基板の面積も大きなものとなっている。又、銀塩フィルムカメラと比較して、撮像回路、画像処理回路及び画像表示回路など多くの電気部品を使用した大規模な電気回路が付加されているため、相応の基板面積が必要となり、複数の基板を適切に配置することが要求されている。
【０００４】
図６及び７は、従来例としてデジタル一眼レフカメラの一例を示している。図６は、水平断面図、図７は垂直断面図を示している。
【０００５】
図６，７において、１０１はカメラ筐体であり、前方に突出したグリップ部１０１ａの内部に電池１０２を配置している。１０３は交換可能なレンズ鏡筒であり、撮影レンズ１０４を保持している。１０５はミラーボックスであり、マウント部１０５ａでレンズ鏡筒１０３と連結される。また、ミラーボックス１０５の内部には、撮影レンズ１０４を通った光をファインダ接眼部へ導くため光軸Ｌ0に対して４５°の角度に保持されるクイックリターンミラー１０６を備え、その後方にフォーカルプレーンシャッタ１０７を備えている。１０８はペンタプリズム、１０９は被写体像を観察するためのファインダ接眼レンズ群である。
【０００６】
１１０はメインシャーシで、ミラーボックス１０５を保持し、カメラ全体の強度を確保している。
【０００７】
１１１はフォーカルプレーンシャッタ１０７の後方で光軸Ｌ0に対して垂直な面を撮像面とするセンサチップを収納した撮像素子パッケージであり、その上下より後方へ曲げて延伸したリード端子１１１ａを複数有している。１１２は光学ローパスフィルタで、撮像素子パッケージ１１１のレンズ側に備えられている。１１３は撮像回路基板で、図のように撮像素子パッケージ１１１の撮像面と平行に配置されており、撮像回路基板１１３に設けられた穴にリード端子１１１ａを差込んで半田付けすることにより、撮像素子１１２と撮像回路基板１１３は直に接続されている。
【０００８】
撮像回路基板１１３の後方には、基板の大部分を覆うようなシールドケース１１４が備えられている。撮像回路基板１１３の側方には、第１回路基板１１５と第２回路基板１１６、また、前方には第３回路基板１１７が配置されている。第１回路基板１１５と第２回路基板１１６には、例えば機構駆動制御回路、画像処理回路、画像表示回路などが搭載されている。第３回路基板１１７にはメインコンデンサ１１８が接続されたストロボ回路あるいは電源回路が搭載されている。１１９は接続用フレキで、撮像回路基板１１３に搭載されたコネクタ１１３ａと第１回路基板１１５搭載されたコネクタ１１５ａによって両基板間を接続するものである。撮像回路基板１１３の更に後方には、照明用光源１２０と液晶表示部１２１が配置されている。１２２は外部記録媒体であるメモリカード１２３が装着されるカードスロットであり、第１回路基板１１５に沿って電池１０２との間に設けられている。
【特許文献１】特開平３−６４１７７号公報
【発明の開示】
【発明が解決しようとする課題】
【０００９】
大型の撮像素子を用いたデジタル一眼レフカメラの場合、撮像素子と光学ファインダの相対的位置関係と撮影ピント方向の位置決めが必要である。そこでピント方向の位置調整、片ボケ防止のための上下左右の傾き調整、画角合わせの為の水平垂直方向の位置調整と回転調整が必要となり、結果として前記６軸の調整が必要となる。
【００１０】
上述した従来例のデジタル一眼レフカメラのように、撮像素子パッケージの背面に配置した撮像回路基板に対してリード端子を直に半田付けした構造では、撮像素子の位置・傾き調整を行うとリード端子を直に付けた基板も同様に位置変化や傾き変化が発生してしまう。特に片ボケを抑制するための上下左右の傾き調整を行った場合、前記基板が大きなものでは基板端部での変移量が大きくなってしまい、隣接する構造部品と干渉する恐れがあり、その結果基板を大きくすることはできなかった。従って、撮像素子が接続される基板は適度な大きさにとどめ、他の回路ブロックを切り分けて分割した複数の基板を設けて配置しなければならなかった。
【００１１】
そのため、基板の分割化による部品コストと組立コストの増大に加えて、複数の基板間を接続するフレキシブル配線基板やコネクタを必要とし、カメラ全体として製造コストの増大を招くものであった。
【００１２】
又、撮像素子パッケージ１１１と撮像回路基板１１３とを接続しているリード端子１１１ａについてはシールドされずに露出した部分があるため、隣接した第１回路基板１１５や第2回路基板１１６に搭載したデジタル信号系回路から発生するノイズ、及び第３回路基板１１７に備えたストロボ回路や電源回路に搭載した昇圧トランスなどから発生するノイズが撮像素子自身と撮像回路基板１１３との接続リード端子部１１１ａに影響を及ぼしていた。
【００１３】
本発明はかかる実情に鑑み、撮像装置内の回路基板を最適に配置してシールドすることにより、デジタル信号系回路や電源回路等からのノイズに強く、撮影された画像の質を良好に保つことができる電子カメラ等の撮像装置を安価なコストで提供することを目的とする。
【課題を解決するための手段】
【００１４】
本発明の撮像装置は、被写体像を電気信号に変換する撮像素子と、該撮像素子より出力される画像データを記録媒体に記録する記録手段とを有する撮像装置であって、前記撮像素子を保持する保持部材と、前記保持部材に支持された第１シールド部材と、前記撮像素子から出力される電気信号を処理する撮像回路を搭載したプリント回路基板と、前記プリント回路基板上の撮像回路ブロックの少なくとも一部を覆う第２シールド部材と、前記撮像素子と前記プリント回路基板とを接続するフレキシブル配線基板とを備え、前記第１シールド部材で前記フレキシブル配線基板を覆うと共に、前記第１シールド部材と前記第２シールド部材を導電的に接続したことを特徴とする。
【００１５】
特に、本発明の撮像装置は、前記第１シールド部材と前記第２シールド部材は、半田付けされて互いが固定されることを特徴とする。
【００１６】
また、本発明の撮像装置は、前記第１シールド部材と前記第２シールド部材は、どちらか一方にバネ形状を有し、他方に対して弾性的に圧接して保持されることを特徴とする。
【００１７】
また、本発明の撮像装置は、前記撮像素子から出力される電気信号を処理する撮像回路を搭載したプリント回路基板は、前記撮像素子の後方において撮像面と略平行に配置され、前記フレキシブル配線基板はＵターン形状を有し、前記フレキシブル配線基板を覆う前記第１シールド部材は、前記フレキシブル配線基板と同等の幅で後方へ曲げた形状から成ることを特徴とする。
【００１８】
また、本発明の撮像装置は、前記第１シールド部材と前記第２シールド部材の接続箇所は、前記フレキシブル配線基板の幅の外側であることを特徴とする。
【００１９】
また、本発明の撮像装置は、前記第１シールド部材は、前記撮像素子の撮像面と略平行となる面を有する部分と前記フレキシブル配線基板を覆うように後方へ延伸した部分から成り、前記撮像素子の撮像面と略平行となる面には、撮像素子に入射する光束を決定する開口を有することを特徴とする。
【００２０】
さらに、本発明の撮像装置は、前記撮像素子の位置と傾きを調整するように、前記撮像素子を保持する保持部材を撮像装置筐体側に取り付ける手段を有することを特徴とする。
【発明の効果】
【００２１】
本発明によれば、撮像素子と撮像回路基板をフレキシブル配線基板で接続することで、撮像素子パッケージの位置・傾き調整をしても後方の撮像回路基板が傾くことがないので、基板面積を大型化でき、製造コストの増大を抑えることができる。同時に、撮像素子周囲及び撮像回路基板へ接続したフレキシブル配線基板を覆うシールド部材と撮像回路を覆うシールド部材とを共通電位とすることで強固なＧＮＤシールドが達成され、デジタル信号系回路やストロボ回路・電源回路等から発せられるノイズの影響を撮像信号処理回路へ及ぼすことなく、撮影される画像の質を良好に保つことができる。
【００２２】
また、第１シールド部材と第２シールド部材のどちらか一方にバネ形状を有し、他方に対して弾性的に圧接して保持することにより、シールド部材間の接続作業及び分解作業が容易になる。
【００２３】
また、撮像素子と撮像回路基板とを接続したフレキシブル配線基板を覆うシールド部材をフレキシブル接続基板と同等の幅で後方へ曲げた形状とすることにより、フレキシブル配線基板はシールド部材に沿って曲げられるため、フレキシブル配線基板を撮像回路基板に接続する際の作業性が向上される。
【００２４】
また、第１シールド部材と第２シールド部材の接続箇所を、フレキシブル配線基板の幅の外側にすることで、フレキシブル配線基板がシールド部材に沿って曲げられた形態を阻害することなく、撮像回路基板に接続する際の作業性を良好に保つことができる。
【００２５】
また、撮像素子周囲の第１シールド部材で、撮像素子に入射する光束を決定するマスク開口の機能を備えるので、部品の共有化が図れ、製造コストの増大を抑えることができる。
【００２６】
さらに、前記撮像素子を保持する保持部材を、撮像装置筐体側に撮像素子の位置と傾きを調整するように取り付けることができる。
【発明を実施するための最良の形態】
【００２７】
以下、本発明の好適な実施の形態について図面を用いて詳細に説明する。
【００２８】
図１〜図５により本発明を適用した撮像装置について、この実施形態ではデジタル一眼レフカメラを例にして説明する。
【００２９】
図１及び図２はデジタル一眼レフカメラの外観図を示し、図１はカメラ前方より見た斜視図であり、レンズ鏡筒を外した状態を示す。図２はカメラ背面側より見た斜視図である。
【００３０】
先ず、図１と図２を参照して外観される部分について説明する。１はカメラ筐体であり、撮影時に使用者がカメラを安定して握り易いように前方に突出したグリップ部１ａが設けられている。２はマウント部であり、着脱可能なレンズ鏡筒３（図４及び図５参照）がカメラ本体に取り付けられる部位である。４はレンズ鏡筒３を取り外す際に押し込むレンズロック解除釦である。５はカメラ筐体内に配置されたミラーボックスで、撮影レンズを通ってきた光束を囲んだ形状である。また、撮影レンズを通った光をファインダへ導くため４５°の角度に保持されるクイックリターンミラー６を内蔵している。
【００３１】
カメラ上部（正面より見て）左方には、撮影開始の起動スイッチとしてのシャッタボタン７と、撮影時の動作モードに応じてシャッタスピードやレンズ絞り値を設定するメイン操作ダイヤル８と、カメラの各動作モードを示すＬＣＤ表示パネル９と、撮影系の上面動作モード設定ボタン１０が配置されている。上面動作モード設定ボタン１０は、シャッタボタン７の１回の押込みで連写になるか１コマのみの撮影となるかの設定やセルフ撮影モードの設定などを行うものであり、ＬＣＤ表示パネル９にその設定状況が表示されるようになっている。
【００３２】
カメラ上部中央には、カメラ本体に対してポップアップするストロボユニット１１とフラッシュ取付け用のシュー溝１２とフラッシュ接点１３が有り、カメラ上部右よりには撮影モード設定ダイヤル１４が配置されている。
【００３３】
カメラ右側面には、開閉可能な外部端子蓋１５が設けられていて、この蓋１５を開けた内部には外部インターフェイスとしてビデオ信号出力用ジャック１６とＵＳＢ出力用コネクタ１７が納められている。
【００３４】
カメラ背面には、光軸中心上の上方にファインダ接眼窓１８が設けられ、更にカメラ背面中央には画像表示可能なカラー液晶表示部１９が設けられている。カラー液晶表示部１９の横に配置されたサブ操作ダイヤル２０は、メイン操作ダイヤル８の機能の補助的役割を担い、例えばカメラのＡＥモードでは自動露出装置により算出された適正露出値に対する露出補正量を設定するために使用される。あるいはまた、シャッタスピードとレンズ絞り値の各々を使用者の意志によって設定するマニュアルモードにおいて、メイン操作ダイヤル８でシャッタスピードを設定し、サブ操作ダイヤル２０でレンズ絞り値を設定する。また、このサブ操作ダイヤル２０は、カラー液晶表示部１９に表示される撮影済み画像の表示選択手段としても用いられる。
【００３５】
２１は背面動作モード設定ボタンであり、ＡＥロック設定などを設定することができ、上面動作モード設定ボタン１０と同様にＬＣＤ表示パネル９にその設定状況が表示されるようになっている。２２はカメラの電源投入を行うためのメイン電源スイッチであり、所定角度回転させることでスイッチのＯＮ、ＯＦＦを切り替える。カラー液晶表示部１９の背面より見て左わきに整列した押しボタンスイッチ２３は、カラー液晶操作スイッチでカメラの各種設定を行うためのメニュー表示や撮影済み画像の表示方法の変更などを行える。
【００３６】
２４は一旦記録媒体に記録された画像データを消去するための消去ボタンであり、誤って押し込んでしまうことがないようにＬＣＤ操作スイッチ２４から離れて配置されている。
【００３７】
２５は外部記録媒体であるメモリカードの挿入口を覆うための開閉可能なカード蓋であり、少量のスライド移動に加えて回動することが可能に支持されている。２６は電池蓋であり、電池をカメラの底面より挿抜できるように回動可能に支持されている。２７はカメラ底面に設けられた三脚取付け用ネジである。
【００３８】
次に、図３〜図５を参照してカメラ内部の光学部材、電池収納室、回路基板、メモリカード装着部などの各構成部材の配置及び作用等について説明する。
【００３９】
図３はカメラ背面の筐体を切断して内部を示す背面図、図４は図３のＡ−Ａ線に沿って切断した水平断面図、図５は図３のＢ−Ｂ線に沿って切断したレンズ光軸を含む垂直断面図であり、内蔵ストロボをポップアップさせた状態を示している。
【００４０】
これらの図において、３はカメラ本体より着脱可能なレンズ鏡筒であり、撮影レンズ３０を保持している。カメラ筐体１の前方に突出したグリップ部１ａの内部には、電源である電池３１が配置されている。
【００４１】
３２はフォーカルプレーンシャッタであり、クイックリターンミラー６の後方に配置され、ミラーボックス５に保持される。
【００４２】
３３はペンタプリズム、３４は被写体像を観察するためのファインダ接眼レンズ群である。
【００４３】
３５は光軸Ｌに対して垂直な面を撮像面とするセンサチップで、被写体画像を電気撮像信号に変換する半導体である。３６は前パッケージ３６ａと後パッケージ３６ｂから構成され、セラミックを材料としたセンサパッケージで、センサチップ３５を収納し、撮影レンズから入射された被写体像を取り込む側をカバーガラス３７で密閉している。３８ａと３８ｂはリードフレームで、センサチップ３５とワイヤボンディングされる金属プレートであり、各々センサチップ３５からの信号線及び電源線をセンサパッケージ３６の外側へ引き出された複数のリード端子として機能する。
【００４４】
上述３５〜３８の部材から成る構造を総称して一般的に「撮像センサ」と呼称している。
【００４５】
３９はセンサプレートで、前記撮像センサを保持する金属プレートで、撮影光束に対して十分な余裕をもつ開口部３９ａが形成されている。
【００４６】
４０は上側フレキシブル基板で、一方の端部近傍において上部複数のリード端子３８ａと半田等で接続されている。同様に４１は下側フレキシブル基板で、下部複数のリード端子３８ｂに半田等で接続されている。上側フレキシブル基板４０と下側フレキシブル基板４１各々他方の端部は後述する撮像回路基板に接続される。
【００４７】
４２はシールドプレートで、上側フレキシブル基板４０と下側フレキシブル基板４１をシールドするためのそれぞれの延長部４２ａと４２ｂ及び上側の延長部４２ａの背面側先端に後述するシールドケースとの接触部４２ｃを有している。
【００４８】
４３はローパスフィルタマスクで、フォーカルプレーンシャッタ３２の後方に配置され、撮影光束を規制してゴースト等の発生を防止している。
【００４９】
４４は光学ローパスフィルタで、ローパスフィルタホルダ４５に保持されており、撮影画像にモアレや擬色の発生を防止する。
【００５０】
４６は粘着テープで、カバーガラス３７と光学ローパスフィルタ４４の間にゴミ等が進入することのないように密閉されたユニットを構成するため、ローパスフィルタホルダ４５の裏面とカバーガラス３７の前面との間に貼り付けられている。
上述した撮像センサを含み、３９〜４６の部材から成る構造を総称して、以下「撮像センサユニット」と呼称する。
【００５１】
４７は取付けワッシャで、後述する調整工程により厚みが選択された後、撮像センサを保持したセンサプレート３９とミラーボックス５の間に挟まれていて、撮像センサユニットは、ミラーボックス５に対してビスで固定されている。
【００５２】
４８は金属板を加工したメインシャーシで、撮像面と平行に配置されている。
このメインシャーシ４８は、ミラーボックス５とビス等で強固に締結されており、ミラーボックス５と共にカメラ本体の全体的な強度を確保する骨組みを成している。また、カメラ底面部にはメインシャーシ４８の一部を前方へ曲げた部位４８ａを有し、三脚取付けネジ２７が固定されている。
【００５３】
４９はモータであり、フォーカルプレーンシャッタ３２のチャージやクイックリターンミラーのアップダウン動作及びストロボのポップアップ動作の駆動源であり、ミラーボックス５に保持されている。
【００５４】
５０はメイン回路基板であり、撮像面と平行に配置されてメインシャーシ４８に固定されている。メイン回路基板５０には、撮像センサの出力信号をサンプリングして増幅し、Ａ／Ｄ変換する電気回路、ホワイトバランス、露出調整、ガンマ補正等の画像信号に所定の処理を施す撮像信号処理回路、及びデジタル画像信号を内部メモリへ格納あるいは読み出し動作を制御するメモリコントロール回路、及び機構系の駆動等カメラ全体のシステムコントロールを行う制御回路、及び後述するカラー液晶モニタ５５のドライバ回路等の画像表示回路が組み込まれていて、大きな面積が確保されている。
【００５５】
メイン回路基板５０には、背面側上部にコネクタ５１を、全面側下部にコネクタ５２を実装しており、それぞれのコネクタには上述した撮像センサに接続されている上側フレキシブル基板４０と下側フレキシブル基板４１が接続されている。
【００５６】
更にメイン回路基板５０には、前面側に撮像回路ブロックを覆う前シールドケース５３が、背面側には同じく撮像回路ブロックを覆う後シールドケース５４がそれぞれ取り付けられている。後ろシールドケース５４には先に説明したシールドプレート４２の接触部４２Ｃに対して圧接する腕部５４ａを有している。
【００５７】
メイン回路基板５０の更に後方には、カラー液晶表示部１９が配置されている。カラー液晶表示部１９は、カラー液晶モニタ５５と照明用光源５６と筐体１の開口窓から構成されている。カラー液晶モニタ５５と照明用光源５６とは、板金ケース５７に収納されている。
【００５８】
５８はストロボ回路基板であり、ミラーボックス５の左側方に配置され、充電用のメインコンデンサ５９が接続されており、このメインコンデンサ５９への充電制御やストロボユニット１１内の発光部６０の制御を行う回路が組み込まれている。
【００５９】
６１は外部記録媒体であるメモリカード、６２メモリカード６１が接続されるカードコネクタであり、メイン回路基板５０に沿ってメインシャーシ４８との間に設けられている。メモリカード６１の挿抜は、カード蓋２５を光軸に沿ってカメラ後方へ引いてからヒンジ２５ａを回動中心として反時計方向へ（図４参照）回転させて開き、カメラのグリップ側側面より行えるようになっている。
【００６０】
次に、以上のように構成された本実施形態におけるデジタル一眼レフカメラにおける撮像センサの位置・傾き調整について説明する。
【００６１】
センサチップ３５の撮像面は、後パッケージ３６ｂの配置面に対して、製造上、位置と傾きにばらつきがあるため、カメラを製造する上では、撮影レンズとセンサチップの撮像面との相関位置を合わせ込むための調整が必要となっている。そこで、事前に撮像センサユニットの状態でセンサチップの位置と傾きを測定し、更に撮像センサユニットを取り付けるミラーボックス５の複数ある取付け面各々の位置と傾きの測定値を考慮して取付けワッシャ４７の厚みを割り出して決定する。そして、ミラーボックス５の複数ある取付け面各々に対して決定した厚みの取付けワッシャ４７をしき込み、センサプレート３９をビスで固定することで、撮像センサユニットの固定が完結される。
【００６２】
従って、前記調整により、センサチップ３５は光軸Ｌに垂直となるものの、パッケージ３６やセンサプレート３９は光軸Ｌに対して垂直とならず、傾きをもった状態になる。
【００６３】
一方、大きな面積をもったメイン回路基板５０はメインシャーシ４８に固定されているため、カメラボディ毎に傾き量の異なる撮像センサとメイン回路基板５０の間の接続は、図５に示すようなＵターンしたフレキシブル基板４０、４１を用いてばらつきを吸収することができるようになっている。
【００６４】
次に、本実施形態におけるデジタル一眼レフカメラにおけるシールド部材について詳細に説明する。
【００６５】
シールドプレート４２は、センサプレート３９とローパスフィルタホルダ４５に挟まれて保持されている。延長部４２ａは、上側フレキシブル基板４０と略同等の幅を有して後方へ延び、同様に延長部４２ｂは、下側フレキシブル基板４１と略同等の幅を有して後方へ延びている。各延長部の幅が各フレキの幅より同等以上の幅であれば、隣接するデジタル信号系回路やストロボ回路や電源回路等から発せられるノイズの影響が、フレキ上の配線パターンに及ぶことを防止できる。
【００６６】
また、延長部４２ａと４２ｂがフレキシブル基板の幅と同等の幅で後方に延びていることにより、撮像センサユニットの状態で、フレキシブル基板４０と４１は延長部に沿って後方へ向かって曲げられた状態にあり、メイン回路基板５０上のコネクタ５１及び５２への差込み操作が良好に作用する。
【００６７】
さらに、上側の延長部４２ａの背面側先端にあるシールドケース５４との接触部４２ｃは、上側フレキシブル基板４０の幅より外側に位置しているので、上側フレキシブル基板４０がシールドプレート延長部４２ａに沿って曲げられた形態を阻害することがなく、撮像回路基板に接続する際の作業性を良好に保つことができる。
【００６８】
シールドケース５４の腕部５４ａを板バネ形状としてシールドプレート接触部４２ｃに対して圧接しているのは、撮像センサユニットの位置・傾き調整されて相互の位置関係にばらつきが発生してもそのばらつきを吸収することができるようするためである。
【００６９】
尚、シールドケース５４の腕部５４ａをシールドプレート接触部４２ｃに対して圧接のみで接続した方が接続作業及び分解作業はやり易い。しかし、反面、接続の信頼性は低い為、半田付けによって接続される方が、導通抵抗が低く抑えられ接続信頼性が高いことは言うまでもない。
【００７０】
また、上記した実施例では、ローパスフィルタマスク４３を単独部品として設定したものを説明したが、シールドプレート４２のレンズ側開口によって撮影光束を規制するマスクとして機能させたものであってもよい。
【図面の簡単な説明】
【００７１】
【図１】本発明の実施形態におけるデジタル一眼レフカメラの前方より見た外観斜視図
【図２】同じく背面側より見た外観斜視図
【図３】本発明の実施形態における同カメラの背面の筐体を切断して内部を示す背面図
【図４】図３のＡ−Ａ線に沿って切断した水平断面図
【図５】図３のＢ−Ｂ線に沿って切断した垂直断面図
【図６】従来例としてのデジタル一眼レフカメラの水平断面図
【図７】同じく垂直断面図
【符号の説明】
【００７２】
１  カメラ筐体
２  マウント部
３  レンズ鏡筒
５  ミラーボックス
６  クイックリターンミラー
３０  撮影レンズ
３１  電池
３２  フォーカルプレーンシャッタ
３５  センサチップ
３６  センサパッケージ
３８  リードフレーム
３９  センサプレート
４０  上側フレキシブル基板
４１  下側フレキシブル基板
４２  シールドプレート
４４  光学ローパスフィルタ
４８  メインシャーシ
４９  モータ
５０  メイン回路基板
５４  後シールドケース
５５  カラー液晶モニタ
５６  照明用光源
５８  ストロボ回路基板
６１  メモリカード
【図１】
2005065014.tif 000003
【図２】
2005065014.tif 000004
【図３】
2005065014.tif 000005
【図４】
2005065014.tif 000006
【図５】
2005065014.tif 000007
【図６】
2005065014.tif 000008
【図７】
2005065014.tif 000009